(57)【要約】【課題】室内の温度を下げることを目的とする。【解決手段】植物を栽培するための植物栽培室が、前記植物が置かれる室内に、空気を出入りさせる開口部と、前記開口部から流入する流入空気と、前記開口部から流出する流出空気とを遮蔽する第１遮蔽部と、前記植物に対して射し込む日光を少なくとも遮蔽する遮光物と、前記植物栽培室が有する側壁との間に前記空気が通る間隙部と、前記室内に水分を放出するノズル部と、前記流入空気を前記開口部から吸い込む第１ファン又は前記流出空気を前記開口部から排出させる第２ファンのいずれかと、前記ノズル部に向かって前記間隙部を通過した空気を送る第３ファンと有することで上記課題を解決する。【選択図】図１
2018068137.tif 000002
【特許請求の範囲】
【請求項１】
植物を栽培するための植物栽培室であって、
前記植物が置かれる室内に、空気を出入りさせる開口部と、
前記開口部から流入する流入空気と、前記開口部から流出する流出空気とを遮蔽する第１遮蔽部と、
前記植物に対して射し込む日光を少なくとも遮蔽する遮光物と、前記植物栽培室が有する側壁との間に前記空気が通る間隙部と、
前記室内に水分を放出するノズル部と、
前記流入空気を前記開口部から吸い込む第１ファン又は前記流出空気を前記開口部から排出させる第２ファンのいずれかと、前記ノズル部に向かって前記間隙部を通過した空気を送る第３ファンと
を含む植物栽培室。
【請求項２】
前記第１遮蔽部は、光透過性がある請求項１に記載の植物栽培室。
【請求項３】
前記間隙部は、前記開口部の面積以上の大きさである請求項１又は２に記載の植物栽培室。
【請求項４】
前記開口部は、前記流入空気を流入させる入口部と、前記流出空気を流出させる出口部とに分かれ、
前記第１遮蔽部は、前記入口部から前記出口部に前記空気が流れるのを遮蔽する請求項１乃至３のいずれか１項に記載の植物栽培室。
【請求項５】
前記ノズル部より下に、前記水分及び前記日光を透過する透過物を更に含む請求項１乃至４のいずれか１項に記載の植物栽培室。
【請求項６】
前記透過物は、空隙を有する請求項５に記載の植物栽培室。
【請求項７】
前記空隙は、所定の幅を有する請求項６に記載の植物栽培室。
【請求項８】
前記所定の幅は、０．１ｍｍ乃至１２０ｍｍである請求項７に記載の植物栽培室。
【請求項９】
前記透過物によって、前記開口部及び前記ノズル部がある上方空間と、前記植物がある下方空間とに区切られ、
前記上方空間では、前記開口部によって換気が行われ、かつ、前記ノズル部によって冷却された冷却空気が作られ、
前記冷却空気が前記下方空間に送られる請求項５乃至８のいずれか１項に記載の植物栽培室。
【請求項１０】
前記植物栽培室を少なくとも２つ連結させ、
前記植物栽培室を連結させた連結部分に第２遮蔽部を有する請求項１乃至９のいずれか１項に記載の植物栽培室。
【請求項１１】
前記第２遮蔽部は、前記第３ファンによって送られた空気を前記開口部から流出させるようにする請求項１０に記載の植物栽培室。
【請求項１２】
前記開口部は、開閉可能である請求項１乃至１１のいずれか１項に記載の植物栽培室。
【請求項１３】
前記遮光物は、開閉可能である請求項１乃至１２のいずれか１項に記載の植物栽培室。
【請求項１４】
前記遮光物は、いずれか一方の壁側から他方の壁側に向かって開閉できる、又は、一方の壁側並びに他方の壁側の両方からいずれも中央に向かって開閉できる請求項１３に記載の植物栽培室。
【請求項１５】
前記間隙部は、前記植物栽培室のいずれかの壁側の第１箇所と、前記第１箇所とは反対側の壁側となる第２箇所とに少なくとも存在する請求項１乃至１４のいずれか１項に記載の植物栽培室。
【請求項１６】
前記間隙部と、前記植物との間を遮蔽する第３遮蔽部を更に有し、
前記第３遮蔽部は、前記間隙部の長さ以上の長さである請求項１乃至１５のいずれか１項に記載の植物栽培室。
【請求項１７】
前記第３遮蔽部は、光透過性がある請求項１６に記載の植物栽培室。
【発明の詳細な説明】
【技術分野】
【０００１】
本発明は、植物栽培室に関する。
【背景技術】
【０００２】
従来、太陽光を利用して植物を栽培する栽培室が知られている。そして、栽培室では、特に、夏場等に室内の温度が高くなる場合がある。
【０００３】
そこで、まず、通気可能な区画材が、ハウス本体内を上下に区画する。これによって、ハウス内が、上部室と、下部室とに分けられる。このようにして、ハウス内を細霧による気化熱で冷房し、かつ、ハウス内の湿度及び温度等といった作業環境を作業員が好適な範囲に維持する方法が知られている（例えば、特許文献１等）。
【先行技術文献】
【特許文献】
【０００４】
【特許文献１】特開２０１４−１９８０３５号公報
【発明の概要】
【発明が解決しようとする課題】
【０００５】
しかしながら、従来の方法では、日光等によって、室内の温度が高くなった場合でも、室内の温度を下げることができない場合がある。
【０００６】
本発明の１つの側面は、このような問題に鑑みてなされたものであり、室内の温度を下げることを目的とする。
【課題を解決するための手段】
【０００７】
上述した課題を解決し、目的を達成するため、本発明の一実施形態における、植物を栽培するための植物栽培室は、
前記植物が置かれる室内に、空気を出入りさせる開口部と、
前記開口部から流入する流入空気と、前記開口部から流出する流出空気とを遮蔽する第１遮蔽部と、
前記植物に対して射し込む日光を少なくとも遮蔽する遮光物と、前記植物栽培室が有する側壁との間に前記空気が通る間隙部と、
前記室内に水分を放出するノズル部と、
前記流入空気を前記開口部から吸い込む第１ファン又は前記流出空気を前記開口部から排出させる第２ファンのいずれかと、前記ノズル部に向かって前記間隙部を通過した空気を送る第３ファンと
を含む。
【発明の効果】
【０００８】
本発明によれば、室内の温度を下げることができる。
【図面の簡単な説明】
【０００９】
【図１】第１実施形態に係る植物栽培室の構成例を示すモデル図である。
【図２】第１実施形態に係る植物栽培室における開口部の別の構成例を示す断面図である。
【図３】第１実施形態に係る植物栽培室における間隙部の構成例を示す断面図である。
【図４】第１実施形態に係る植物栽培室が風向きを変える部材を有する構成の一例を示す断面図である。
【図５】第１実施形態に係る植物栽培室における開閉可能な遮光物の第１例を示す断面図である。
【図６】第１実施形態に係る植物栽培室における開閉可能な遮光物の第２例を示す断面図である。
【図７】第１実施形態に係る植物栽培室が複数の遮光物を有する構成の一例を示す断面図である。
【図８】第１実施形態に係る植物栽培室における第２ファンによる空気の送り方の一例を示す断面図である。
【図９】第１実施形態に係る植物栽培室を連結して使用する第１例を示す断面図である。
【図１０】第１実施形態に係る植物栽培室を連結して使用する第２例を示す断面図である。
【図１１】第２実施形態に係る植物栽培室の構成例を示す断面図である。
【図１２】第２実施形態に係る植物栽培室を連結して使用する第１例を示す断面図である。
【図１３】第２実施形態に係る植物栽培室を連結して使用する第２例を示す断面図である。
【図１４】第２実施形態に係る植物栽培室における除湿の一例を示す断面図である。
【図１５】実施形態に係る植物栽培室における全体処理の一例を示すフローチャートである。
【図１６】第２比較例に係る植物栽培室の構成例を示すモデル図である。
【図１７】第３比較例に係る植物栽培室の構成例を示す断面図である。
【発明を実施するための形態】
【００１０】
（第１実施形態）
図１は、第１実施形態に係る植物栽培室の構成例を示すモデル図である。具体的には、植物栽培室ＨＳＥは、例えば、横方向（図ではＸ軸方向である。）に７メートル、奥行き方向（図ではＹ軸方向である。）に１００メートル、高さ方向（図ではＺ軸方向である。）４メートルの長さである。なお、各長さは、様々に設定可能である。そして、植物栽培室ＨＳＥの室内には、栽培棚等を用いて、植物ＧＲが置かれる。
【００１１】
また、植物栽培室ＨＳＥは、空気を出入りさせる開口部を有する。例えば、開口部は、図示するように、植物栽培室ＨＳＥにおいて頂点となる部分に設置される天窓ＷＤ等である。また、天窓ＷＤは、図示するように、開閉可能であるのが望ましい。そして、図示する状態のように、天窓ＷＤを開けると、植物栽培室ＨＳＥは、室外から室内に空気を流入させることができる。また、天窓ＷＤを開けると、植物栽培室ＨＳＥは、室内から室外に空気を流出させることができる。
【００１２】
さらに、開口部には、図示するように、第１遮蔽部の例である垂れシートＳＨＴが設置される。なお、垂れシートＳＨＴは、光透過性を有することが望ましい。垂れシートＳＨＴが光透過性を有すると、日光が垂れシートＳＨＴを透過するため、垂れシートＳＨＴによって日陰となる部分が少なくなる。そのため、垂れシートＳＨＴによって日光が遮られ、日光が当たる植物ＧＲに偏りが出るのを少なくすることができる。また、垂れシートＳＨＴは、例えば、樹脂シート等である。
【００１３】
なお、第１遮蔽部は、垂れシートＳＨＴに限られない。例えば、第１遮蔽部は、ガラス板等でもよい。また、垂れシートＳＨＴの長さは、開口部より長いのが望ましい。
【００１４】
このように、垂れシートＳＨＴがあると、開口部を、流入空気ＡＲ１を室内に流入させる入口部分ＥＮと、流出空気ＡＲ３を室外へ流出させる出口部分ＥＸとに分ける構成とすることができる。すなわち、垂れシートＳＨＴは、入口部分ＥＮから入った流入空気ＡＲ１が、すぐに出口部分ＥＸから室外へ出ていく流路を作らない位置及び大きさであるのが望ましい。したがって、垂れシートＳＨＴは、図示するような位置及び大きさに限られず、入口部分ＥＮ及び出口部分ＥＸの位置及び大きさ等に応じて、設置されてもよい。このように、流入空気ＡＲ１と、流出空気ＡＲ３とが遮蔽されると、効率良く室内の空気を循環させることができる。
【００１５】
図２は、第１実施形態に係る植物栽培室における開口部の別の構成例を示し、植物栽培室ＨＳＥの屋根部分を拡大した断面図である。例えば、開口部は、図示するような構成でもよい。具体的には、図示するように、開口部は、入口部分ＥＮと、出口部分ＥＸとが離れて形成されている構成でもよい。このように、開口部は、天窓ＷＤが複数ある構成でもよい。また、このような構成では、垂れシートＳＨＴは、例えば、入口部分ＥＮと、出口部分ＥＸとにそれぞれ設置される。このように、垂れシートＳＨＴは、図１のように頂点となる位置に設置されるに限られず、天窓ＷＤの位置等に応じて設置されるのが望ましい。
【００１６】
図１に戻り、植物栽培室ＨＳＥは、流入空気ＡＲ１を開口部から吸い込む第１ファンＦＡ１及び流出空気ＡＲ３を開口部から排出させる第３ファンＦＡ３のうち、少なくともいずれか一方を有する。以下、図示するように、植物栽培室ＨＳＥが、第１ファンＦＡ１及び第３ファンＦＡ３の両方を有する例で説明する。
【００１７】
また、植物栽培室ＨＳＥは、ノズル部の例である噴霧ノズルＡＮＺに向かって、循環空気ＡＲ２を送る第２ファンＦＡ２を有する。循環空気ＡＲ２は、図示するように、遮光物の例である遮光カーテンＢＣと、植物栽培室ＨＳＥの側壁との間にある間隙部を通過した流入空気ＡＲ１である。なお、間隙部は、例えば、以下のように実現される。
【００１８】
図３は、第１実施形態に係る植物栽培室における間隙部の構成例を示す、植物栽培室ＨＳＥの断面図である。例えば、間隙部は、図３（Ａ）に示す例では、遮光カーテンＢＣと、植物栽培室ＨＳＥにおける左側の側壁（以下「左側壁ＷＬ」という。）との間にできる第１開口部ＳＰ１である。また、間隙部は、図３（Ａ）に示す例では、遮光カーテンＢＣと、植物栽培室ＨＳＥにおける右側の側壁（以下「右側壁ＷＲ」という。）との間にできる第２開口部ＳＰ２である。
【００１９】
なお、間隙部は、図示するように、一方の壁側と、反対側の壁側に少なくとも位置するのが望ましい。具体的には、図示する第１開口部ＳＰ１の位置が第１箇所の例である。また、第１箇所と反対側となる第２開口部ＳＰ２の位置が第２箇所の例となる。
【００２０】
また、図示していないが、遮光カーテンＢＣの位置は、側壁が斜めになった屋根の役割をする部分まで上がった場合には、遮光カーテンＢＣと、右側壁ＷＲの斜め部分との間、又は、遮光カーテンＢＣと、左側壁ＷＬの斜め部分との間に、間隙を設ける位置であってもよい。
【００２１】
間隙部の例である第１開口部ＳＰ１及び第２開口部ＳＰ２は、例えば、図３（Ｂ）に示すように、遮光カーテンＢＣに形成される開口部等によって実現される。なお、第１開口部ＳＰ１及び第２開口部ＳＰ２のそれぞれの面積は、入口部分ＥＮ及び出口部分ＥＸのそれぞれの面積以上の広さであるのが望ましい。
【００２２】
例えば、第１開口部ＳＰ１が、入口部分ＥＮより小さい面積であると、第１開口部ＳＰ１を通過できる空気量より、入口部分ＥＮから流入する空気量が多くなるため、流入空気ＡＲ１が流れる抵抗になりやすい。そこで、第１開口部ＳＰ１及び第２開口部ＳＰ２のそれぞれの面積を入口部分ＥＮ及び出口部分ＥＸのそれぞれの面積以上の広さにすると、植物栽培室ＨＳＥにおける空気の循環を良くすることができる。
【００２３】
また、植物栽培室ＨＳＥは、以下のように、風向きを変える部材を更に有する構成であるのが望ましい。
【００２４】
図４は、第１実施形態に係る植物栽培室が風向きを変える部材を有する構成の一例を示す断面図である。図３（Ａ）に示す植物栽培室ＨＳＥと比較すると、図４に示す植物栽培室ＨＳＥでは、左側壁ＷＬに、第３遮蔽部の例である第１部材ＰＴ１が設置され、かつ、右側壁ＷＲに、第３遮蔽部の例である第２部材ＰＴ２が設置される点が異なる。なお、第１部材ＰＴ１及び第２部材ＰＴ２は、第１開口部ＳＰ１及び第２開口部ＳＰ２と、植物ＧＲとの間を遮蔽するように設置される。
【００２５】
図示するように、第１部材ＰＴ１及び第２部材ＰＴ２が設置されると、植物栽培室ＨＳＥは、植物ＧＲに、循環空気ＡＲ２が流れるのを少なくすることができる。
【００２６】
また、第１部材ＰＴ１及び第２部材ＰＴ２は、透明色であるのが望ましい。第１部材ＰＴ１及び第２部材ＰＴ２が透明色であると、第１部材ＰＴ１及び第２部材ＰＴ２によって日陰となる部分が少なくなる。そのため、第１部材ＰＴ１及び第２部材ＰＴ２によって日光が遮られ、日光が当たる植物ＧＲに偏りが出るのを少なくすることができる。
【００２７】
なお、第１部材ＰＴ１及び第２部材ＰＴ２のそれぞれの長さは、間隙部の長さ以上の長さであるのが望ましい。具体的には、図示するように、例えば、第１部材ＰＴ１の左側壁ＷＬからの長さ（以下「板長ＰＴＬ」という。）は、第１開口部ＳＰ１の左側壁ＷＬからの長さ（以下「開口長ＳＰＬ」という。）以上の長さであるのが望ましい。
【００２８】
板長ＰＴＬが開口長ＳＰＬより短いと、第１開口部ＳＰ１から流れてくる空気が植物ＧＲに流れやすくなる。一方で、図示するように、板長ＰＴＬが開口長ＳＰＬ以上の長さであると、循環空気ＡＲ２は、第１開口部ＳＰ１から第２開口部ＳＰ２に向かって流れやすくなる。したがって、このような構成とすると、植物栽培室ＨＳＥは、植物ＧＲに、循環空気ＡＲ２が流れるのをより少なくすることができる。
【００２９】
また、遮光物は、以下のように、開閉可能であるのが望ましい。
【００３０】
図５は、第１実施形態に係る植物栽培室における開閉可能な遮光物の第１例を示す断面図である。例えば、植物栽培室ＨＳＥにおいて、遮光カーテンＢＣは、一方の壁から、他方の壁に向かって、開閉することができる構成であるのが望ましい。具体的には、遮光カーテンＢＣを開いて植物ＧＲに日光を多く当てたい場合には、遮光カーテンＢＣは、左側壁ＷＬ又は右側壁ＷＲの壁際に巻き取られる。
【００３１】
一方で、遮光カーテンＢＣを閉じて植物ＧＲに当たる日光を少なくしたい場合には、遮光カーテンＢＣは、一方の壁際に巻き取られている遮光カーテンＢＣを他方の壁に向かって広げる。
【００３２】
また、遮光物は、以下のように、開閉可能であってもよい。
【００３３】
図６は、第１実施形態に係る植物栽培室における開閉可能な遮光物の第２例を示す断面図である。図５と比較すると、図６に示す例では、遮光カーテンＢＣが、植物栽培室ＨＳＥの中央付近で巻き取られる点が異なる。このように、遮光カーテンＢＣは、中央付近等で巻き取られる又は中央付近から各壁に向かって広げられることで開閉されてもよい。
【００３４】
また、遮光物は、複数あってもよい。例えば、植物栽培室は、以下のように、２つの遮光カーテンを有してもよい。
【００３５】
図７は、第１実施形態に係る植物栽培室が複数の遮光物を有する構成の一例を示す断面図である。図３（Ａ）に示す植物栽培室ＨＳＥと比較すると、図７に示す植物栽培室ＨＳＥには、図３（Ａ）に示す遮光カーテンＢＣと同様の遮光カーテン（以下「第１遮光カーテンＢＣ１」という。）とは別に、第２遮光カーテンＢＣ２が加わる点が異なる。なお、第１遮光カーテンＢＣ１と、第２遮光カーテンＢＣ２とは、同一の種類であってもよく、異なる種類であってもよい。
【００３６】
また、第２遮光カーテンＢＣ２と、左側壁ＷＬとの間に、開口部（以下「第３開口部ＳＰ３」という。）があるのが望ましい。一方で、第２遮光カーテンＢＣ２と、右側壁ＷＲとの間に、開口部（以下「第４開口部ＳＰ４」という。）があるのが望ましい。
【００３７】
さらに、第３開口部ＳＰ３及び第４開口部ＳＰ４のそれぞれの面積は、第１開口部ＳＰ１及び第２開口部ＳＰ２のそれぞれの面積より狭いのが望ましい。第３開口部ＳＰ３及び第４開口部ＳＰ４のそれぞれの面積が狭いと、循環空気ＡＲ２は、あまり植物ＧＲの方へ流れず、図示するように、第２開口部ＳＰ２に向かって流れる。このようにすると、室内における空気の循環を良くすることができる。
【００３８】
図１に戻り、第１ファンＦＡ１は、図示するように、室内に流入空気ＡＲ１を吸い込むファンである。すなわち、第１ファンＦＡ１は、流入空気ＡＲ１のダウンフローを発生させるファンである。
【００３９】
一方で、第３ファンＦＡ３は、図示するように、室内から流出空気ＡＲ３を排気させるファンである。すなわち、第３ファンＦＡ３は、流出空気ＡＲ３を室外に流出させるファンである。
【００４０】
第１ファンＦＡ１及び第３ファンＦＡ３のうち、少なくともいずれか一方のファンがあると、開口部から空気を出入りさせて、室内の空気を換気することができる。植物栽培室では、屋根に近い付近の温度が高くなりやすい。そこで、第１ファンＦＡ１又は第３ファンＦＡ３があると、比較的温度の低い室外の空気と、温度の高い室内の空気とを入れ替えることができる。
【００４１】
また、第２ファンＦＡ２は、例えば、以下のように、噴霧ノズルＡＮＺに向かって、循環空気ＡＲ２を送るファンである。
【００４２】
図８は、第１実施形態に係る植物栽培室における第２ファンによる空気の送り方の一例を示す断面図である。なお、図８は、植物栽培室の上方からＸ−Ｙ平面を見た図である。以下、図示するように、複数の第２ファンＦＡ２によって、左側壁ＷＬ側から右側壁ＷＲに向かって（図では、左から右への方向となる。）循環空気ＡＲ２を送る場合の例で説明する。
【００４３】
図示するように、それぞれの第２ファンＦＡ２は、循環空気ＡＲ２を噴霧ノズルＡＮＺに向かって送るファンである。図示するように循環空気ＡＲ２が送られると、空気があまり植物ＧＲの方へ流れなくできる。すなわち、図示する例では、第２ファンＦＡ２は、主に、水平方向に循環空気ＡＲ２を送るファンである。
【００４４】
噴霧ノズルＡＮＺは、水を通す配管を有する。また、配管には、少なくとも１つ以上設けられた噴霧吐出口があり、噴霧吐出口から室内に、水分が放出される。そして、水分が放出されると、水分が蒸発する際に気化熱を発生させるため、気化熱によって室内の温度を下げることができる。しかし、水分が放出されると、水分が放出された付近は、湿度が高くなる場合が多い。そこで、第２ファンＦＡ２によって、循環空気ＡＲ２を噴霧ノズルＡＮＺの、特に噴霧吐出口に向かって送ると、湿度が高くなった空気を換気することができる。
【００４５】
また、植物栽培室は、２つ以上を連結して使用されてもよい。例えば、植物栽培室ＨＳＥは、以下のように使用されてもよい。
【００４６】
図９は、第１実施形態に係る植物栽培室を連結して使用する第１例を示す断面図である。図示するように、例えば、第１植物栽培室ＨＳＥ１と、第２植物栽培室ＨＳＥ２とは、連結して使用されてもよい。なお、この例では、第１植物栽培室ＨＳＥ１と、第２植物栽培室ＨＳＥ２とを連結させる連結部分ＣＯＮは、柱等であり、壁がない構成であるとする。
【００４７】
また、連結部分ＣＯＮには、第２遮蔽部の例である透明板ＣＰＴ等が設置されるのが望ましい。透明板ＣＰＴは、例えば、ガラス板又は透明色なシート等である。このように、第２遮蔽部が透明色であると、第２遮蔽部によって日陰となる部分が少なくなる。そのため、第２遮蔽部によって日光が遮られ、日光が当たる植物ＧＲに偏りが出るのを少なくすることができる。
【００４８】
なお、透明板ＣＰＴは、空気を天窓ＷＤの方向へ向かわせやすくするため、角度があってもよい。
【００４９】
また、植物栽培室は、以下のように連結して使用されてもよい。
【００５０】
図１０は、第１実施形態に係る植物栽培室を連結して使用する第２例を示す断面図である。図示するように、第１植物栽培室ＨＳＥ１と、第２植物栽培室ＨＳＥ２とは、図９と同様に、連結される。図９と比較すると、図１０に示す例では、それぞれの天窓ＷＤの開閉状態が異なる。
【００５１】
図示するように、第１植物栽培室ＨＳＥ１が有する天窓ＷＤは、入口部分ＥＮとなる方が開けられる。一方で、第１植物栽培室ＨＳＥ１が有する天窓ＷＤは、出口部分となる方は、閉じられる。さらに、第２植物栽培室ＨＳＥ２が有する天窓ＷＤは、入口部分となる方が閉じられる。一方で、第２植物栽培室ＨＳＥ２が有する天窓ＷＤは、出口部分ＥＸとなる方は、開けられる。
【００５２】
このようにすると、図示するように、第１植物栽培室ＨＳＥ１では、流入空気ＡＲ１が室内に取り込まれる。そして、循環空気ＡＲ２は、第１植物栽培室ＨＳＥ１及び第２植物栽培室ＨＳＥ２の室内を循環する。次に、第３ファンにより送られた流出空気ＡＲ３が、第２植物栽培室ＨＳＥ２の出口部分ＥＸから流出する。このようにすると、植物栽培室を連結して使用する場合であっても、空気の循環及び換気を効率的に行うことができる。
【００５３】
なお、ノズル部及びファン等の装置は、一体となった装置でもよい。また、各ファンは、複数であってもよい。
【００５４】
（第２実施形態）
図１１は、第２実施形態に係る植物栽培室の構成例を示す断面図である。図示するように、第２実施形態は、第１実施形態と比較すると、透過物の例となるスリットカーテンＳＣが、噴霧ノズルＡＮＺの下に設置される点が異なる。以下、第１実施形態と異なる点を中心に説明し、重複する点は、同一の符号を付して説明を省略する。
【００５５】
スリットカーテンＳＣは、水分、日光及び空気を透過するシート又は板等である。具体的には、スリットカーテンＳＣは、不織布等である。スリットカーテンＳＣは、例えば、露地栽培、べたがけ栽培、保温、育苗又は霜よけ等に用いられるシート等である。
【００５６】
図示するように、スリットカーテンＳＣが設置されると、植物栽培室ＨＳＥの室内は、開口部及びノズル部がある、すなわち、植物栽培室ＨＳＥにおいて上方の空間（以下「上方空間ＵＣ」という。）と、植物が置かれる、すなわち、植物栽培室ＨＳＥにおいて下方の空間（以下「下方空間ＤＣ」という。）とに区切られる。
【００５７】
また、スリットカーテンＳＣは、空隙、スリット、円状の穴又はこれらの組み合わせを有する。例えば、スリットカーテンＳＣは、図示するように、空隙は、所定の幅を有する。具体的には、所定の幅は、例えば、０．１ｍｍ乃至１２０ｍｍである。すなわち、所定の幅は、一般的に用いられることが多いメッシュの間隔から農業用シートにおける開口の穴径等である。なお、空隙は、ランダムに設けてもよい。
【００５８】
植物栽培室ＨＳＥでは、まず、入口部分ＥＮから流入空気ＡＲ１が取り込まれる。次に、第２ファンＦＡ２によって、循環空気ＡＲ２が、噴霧ノズルＡＮＺに向かって送られる。そして、噴霧ノズルＡＮＺから水分が放出されると、気化熱によって空気が冷却され、冷却空気が作られる。
【００５９】
気化熱によって作られた冷却空気は、スリットカーテンＳＣを介して、上方空間ＵＣから下方空間ＤＣに降下する。そのため、下方空間ＤＣに、冷却空気が送られることによって、下方空間ＤＣの温度を下げることができる。
【００６０】
また、スリットカーテンＳＣを用いると、室内の温度を均一に下げることができる。すなわち、スリットカーテンＳＣを用いると、いわゆる温度ムラが少なくでき、かつ、室内を冷却することができる。
【００６１】
さらに、植物ＧＲの付近は、植物の成長を促進させるため、二酸化炭素濃度を高くしている場合がある。そこで、スリットカーテンＳＣを用いると、下方空間ＤＣにある空気を直接換気しないため、二酸化炭素が室外に排出されるのを少なくすることができる。
【００６２】
なお、スリットカーテンＳＣは、以下のように用いられてもよい。
【００６３】
図１２は、第２実施形態に係る植物栽培室を連結して使用する第１例を示す断面図である。例えば、図９と同様に、第１植物栽培室ＨＳＥ１と、第２植物栽培室ＨＳＥ２とを連結して使用する際等にも、スリットカーテンＳＣは、用いられてもよい。例えば、第１植物栽培室ＨＳＥ１と、第２植物栽培室ＨＳＥ２とは、スリットカーテンＳＣをそれぞれ有する。このように、スリットカーテンＳＣは、連結されるそれぞれの植物栽培室にそれぞれ設置されてもよい。
【００６４】
また、植物栽培室を連結して使用する場合には、以下のように、スリットカーテンＳＣが用いられてもよい。
【００６５】
図１３は、第２実施形態に係る植物栽培室を連結して使用する第２例を示す断面図である。例えば、図１０と同様に、第１植物栽培室ＨＳＥ１と、第２植物栽培室ＨＳＥ２とを連結して使用する際等にも、スリットカーテンＳＣは、用いられてもよい。すなわち、図１３に示すような場合であっても、図１２と同様に、スリットカーテンＳＣは、連結されるそれぞれの植物栽培室にそれぞれ設置されてもよい。
【００６６】
また、第２ファンＦＡ２が循環空気ＡＲ２を送るのを停止させる（以下「ファンをＯＦＦ」という。）制御等が行われてもよい。ファンをＯＦＦにすると、以下のように、除湿を行うことができる。
【００６７】
図１４は、第２実施形態に係る植物栽培室における除湿の一例を示す断面図である。図示するように、ファンがＯＦＦとなると、流入空気ＡＲ１は、上方空間ＵＣから下方空間ＤＣに流れるようになる。このようにすると、反対側（図では、右側である。）では、下方空間ＤＣから上方空間ＵＣに空気が流れるようになる。植物ＧＲ付近は、植物ＧＲの蒸散等によって湿度が高い場合がある。そのような場合には、室内から湿度の高い空気を排気して、除湿を行うのが望ましい。したがって、ファンをＯＦＦにすると、植物栽培室は、室内を除湿することができる。なお、このような除湿は、スリットカーテンＳＣがない構成で行われてもよい。
【００６８】
また、植物栽培室では、例えば、以下のような全体処理が行われてもよい。
【００６９】
図１５は、実施形態に係る植物栽培室における全体処理の一例を示すフローチャートである。例えば、植物栽培室では、第１ファンＦＡ１、第２ファンＦＡ２及び第３ファンＦＡ３（図１参照）（以下単に「ファン」という。）及び噴霧ノズルＡＮＺ（図１参照）が以下のように制御される。なお、全体処理は、例えば、植物栽培室に設置される情報処理装置等によって実行される。
【００７０】
ステップＳ０１では、情報処理装置は、室内温度Ｔｉｎが閾値温度Ｔｓｅｔより高いか否かを判断する。まず、情報処理装置には、あらかじめ閾値温度Ｔｓｅｔが設定される。次に、室内温度Ｔｉｎが、室内にあらかじめ設置される温度センサ等によって計測される。
【００７１】
そして、室内温度Ｔｉｎが閾値温度Ｔｓｅｔより高いと判断されると（ステップＳ０１でＹＥＳ）、情報処理装置は、ステップＳ０２に進む。一方で、室内温度Ｔｉｎが閾値温度Ｔｓｅｔより高くないと判断されると（ステップＳ０１でＮＯ）、情報処理装置は、ステップＳ０５に進む。
【００７２】
ステップＳ０２では、情報処理装置は、室内湿度Ｈｉｎが閾値湿度Ｈｓｅｔより低いか否かを判断する。温度と同様に、まず、情報処理装置には、あらかじめ閾値湿度Ｈｓｅｔが設定される。次に、室内湿度Ｈｉｎが、室内にあらかじめ設置される湿度センサ等によって計測される。
【００７３】
そして、室内湿度Ｈｉｎが閾値湿度Ｈｓｅｔより低いと判断されると（ステップＳ０２でＹＥＳ）、情報処理装置は、ステップＳ０３に進む。一方で、室内湿度Ｈｉｎが閾値湿度Ｈｓｅｔより低くないと判断されると（ステップＳ０２でＮＯ）、情報処理装置は、ステップＳ０４に進む。
【００７４】
ステップＳ０３では、情報処理装置は、ファンをＯＮにする制御を行う。また、ステップＳ０３では、情報処理装置は、ノズルをＯＮにする制御を行う。このようにすると、ファンがＯＮとなるため、例えば、図３（Ａ）に示すように、空気が室内を循環する。また、ノズルがＯＮとなるため、水分が放出される。したがって、水分の放出によって、室内の温度を下げることができる。
【００７５】
ステップＳ０４では、情報処理装置は、ファンをＯＮにする制御を行う。また、ステップＳ０４では、情報処理装置は、ノズルをＯＦＦにする制御を行う。
【００７６】
ステップＳ０５では、情報処理装置は、例えば、ステップＳ０２と同様に、室内湿度Ｈｉｎが閾値湿度Ｈｓｅｔより低いか否かを判断する。
【００７７】
そして、室内湿度Ｈｉｎが閾値湿度Ｈｓｅｔより低いと判断されると（ステップＳ０５でＹＥＳ）、情報処理装置は、ステップＳ０６に進む。一方で、室内湿度Ｈｉｎが閾値湿度Ｈｓｅｔより低くないと判断されると（ステップＳ０５でＮＯ）、情報処理装置は、ステップＳ０７に進む。
【００７８】
ステップＳ０６では、情報処理装置は、ファンをＯＦＦにする制御を行う。また、ステップＳ０６では、情報処理装置は、ノズルをＯＮにする制御を行う。
【００７９】
ステップＳ０７では、情報処理装置は、ファンをＯＦＦにする制御を行う。また、ステップＳ０７では、情報処理装置は、ノズルをＯＦＦにする制御を行う。
【００８０】
上述した様に、図１に示すように、第１ファンＦＡ１及び第３ファンＦＡ３の少なくともどちらかがあると、植物栽培室ＨＳＥは、天窓ＷＤ等の開口部から空気を出入りさせることができる。そして、第２ファンＦＡ２があると、植物栽培室ＨＳＥでは、循環空気ＡＲ２は、噴霧ノズルＡＮＺに向かって送られるため、空気が循環され、冷却された空気が室内に行きわたり、室内の温度を下げることができる。
【００８１】
また、空気の循環、すなわち、換気は、主に植物栽培室ＨＳＥにおける上方で行われることになる。そのため、このような構成とすると、植物の育成を促進させるための二酸化炭素が室外に排出されるのを少なくすることができる。二酸化炭素は、主に、植物の近く、すなわち、室内において、地上付近に蓄積させる場合が多い。このように、二酸化炭素がある付近の空気を室外へ排出されるのを抑制し、換気を行うことができる。
【００８２】
一方で、例えば、第１比較例として、室内に、冷却された空気を送って室内を冷却する方法が考えられる。このような方法と比較すると、本発明の実施形態は、特に、大規模な植物栽培室では、温度を下げるのに必要となるコスト、すなわち、空調機等を稼働させるコストを抑えることができる。
【００８３】
他にも、例えば、以下のような第２比較例が考えられる。
【００８４】
図１６は、第２比較例に係る植物栽培室の構成例を示すモデル図である。図示するように、植物栽培室の側面（図では、手前の壁である。）に、換気扇ＶＦを設置する方法がある。このような方法であると、換気扇ＶＦから中央付近程度までは、換気が行われるが、植物栽培室の奥の方（図では、Ｙ軸方向である。）は、換気されにくい等の偏りが発生しやすい。
【００８５】
さらに、例えば、以下のような第３比較例が考えられる。
【００８６】
図１７は、第３比較例に係る植物栽培室の構成例を示す断面図である。図示するように、植物栽培室の一方の壁（図では、左側壁ＷＬとする。）に、換気扇ＶＦを設置する方法がある。このような方法であると、植物ＧＲ付近にある二酸化炭素が換気の際に排出されてしまう場合が多い。また、この比較例のようにすると、換気扇ＶＦの近くに位置する植物ＧＲは、強風が当たることが多く、植物ＧＲの育成に良くない場合が多い。
【００８７】
以上、本発明の好ましい実施例について詳述したが、本発明は、上述の実施形態に限定されず、特許請求の範囲に記載された本発明の要旨の範囲内において、種々の変形又は変更が可能である。
【符号の説明】
【００８８】
ＨＳＥ  植物栽培室
ＦＡ１  第１ファン
ＦＡ２  第２ファン
ＦＡ３  第３ファン
ＡＲ１  流入空気
ＡＲ２  循環空気
ＡＲ３  流出空気
ＵＣ  上方空間
ＤＣ  下方空間
ＷＤ  天窓
ＧＲ  植物
ＡＮＺ  噴霧ノズル
ＢＣ  遮光カーテン
ＳＣ  スリットカーテン
【図１】
2018068137.tif 000003
【図２】
2018068137.tif 000004
【図３】
2018068137.tif 000005
【図４】
2018068137.tif 000006
【図５】
2018068137.tif 000007
【図６】
2018068137.tif 000008
【図７】
2018068137.tif 000009
【図８】
2018068137.tif 000010
【図９】
2018068137.tif 000011
【図１０】
2018068137.tif 000012
【図１１】
2018068137.tif 000013
【図１２】
2018068137.tif 000014
【図１３】
2018068137.tif 000015
【図１４】
2018068137.tif 000016
【図１５】
2018068137.tif 000017
【図１６】
2018068137.tif 000018
【図１７】
2018068137.tif 000019